(57)【特許請求の範囲】
【請求項１】
基礎に設置されて壁材等に及ぶ荷重を支持する土台であって、基礎の上に設置する設置片、設置片の屋外側端部より起立する起立屋外片、起立屋外片より延出して壁材を載置する載置部を形成している載置片、載置片の屋内側端部より起立されて壁材の背面に及ぶ水切り片を備えて長尺の土台本体を形成し、土台本体の屋内側に縦荷重を支持する縦板を土台本体の長さ方向に間隔を隔てて設け、土台本体の屋内側スペースを配線・配管体を配するダクトにし、ダクトに配した配線・配管体を縦板に保持する保持手段を備えて成ることを特徴とする土台。
【請求項２】
縦板の屋内側に開放された係入凹所を形成し、係入凹所の近傍に保持用の紐状体を係着する係着部を形成して成ることを特徴とする請求項１記載の土台。
【請求項３】
基礎の上に設置する設置片、設置片の屋外側端部より起立する起立屋外片、起立屋外片より延出して壁材を載置する載置部を形成している載置片、載置片の屋内側端部より起立されて壁材の背面に及ぶ水切り片を備えて長尺の土台本体を形成し、土台本体の屋内側に縦荷重を支持する縦板を土台本体の長さ方向に間隔を隔てて設け、土台本体の屋内側スペースをダクトとして配した配線・配管体を縦板に保持する保持手段を備えて土台を構成し、基礎の上に設置片を設置して土台を基礎に固定し、載置片に壁材を載置し、土台のダクトに配した配線・配管体を縦板に保持手段にて保持して成ることを特徴とする建造物。
【請求項４】
配線・配管体と土台本体の屋外側に面する部分との間に断熱材を設けて成ることを特徴とする請求項３記載の建造物。
【請求項５】
ダクトに配した配線・配管体を覆うカバーを土台本体の全長にわたる屋内側開口に着脱自在に取付けて成ることを特徴とする請求項３記載の建造物。
【発明の詳細な説明】
【０００１】
【発明の属する技術分野】
本発明は、土台及びその土台を設置した建造物に関し、詳しくは、土台に付設する水切り材の設置を省いて土台まわりの構成を簡素化し、施工性及び外観を高め、併せて、土台における耐縦荷重を充分なものにしながら、土台の屋内側スペースを配線・配管用のダクトとして利用することで、建造物の屋内スペースを大にしようとする技術に係るものである。
【０００２】
【従来の技術】
従来、土台を設置した建造物においては、図５に示すように、基礎１の上に金属製の角パイプにて形成した土台Ａａを載設してアンカーボルト等にて固定し、土台Ａａに水切りＭａをリベットｂにて固定し、土台Ａａの上に支柱Ｂを立設し、土台Ａａの上にアングルｃをドリルビスｄにて固定し、アングルｃ等に壁材２をバルブタイトｅにて固定し、しかして、土台Ａａにて支柱Ｂ、壁材２等よりの縦荷重を支持し、又、壁材２を伝う雨水を水切りＭａによって外部に導いて屋内側に浸入するのを防止するものである。
【０００３】
【発明が解決しようとする課題】
ところで、このような構成においては、土台Ａａとは別体に形成した水切りＭａが必須となり、施工性が低く、それでいて、板金製で屋外側に突出している水切りＭａをいたずら等で変形させるおそれがあり、外観を低下させることがあるという問題がある。更に、図示はしないが、建造物においては、内部に配線・配管体を敷設するのであり、その分、内部スペースが小になるものである。
【０００４】
本発明はこのような問題に鑑みてなされたものであり、土台に付設する水切り材の設置を省いて土台まわりの構成を簡素化し、施工性及び外観を高め、併せて、土台における耐縦荷重を充分なものにしながら、土台の屋内側スペースを配線・配管用のダクトとして利用することで、建造物の屋内スペースを大にすることができる土台及びその土台を設置した建造物を提供することを課題とするものである。
【０００５】
【課題を解決するための手段】
請求項１においては、基礎１に設置されて壁材２に及ぶ荷重を支持する土台であって、基礎１の上に設置する設置片３、設置片３の屋外側端部より起立する起立屋外片１２、起立屋外片１２より延出して壁材２を載置する載置部を形成している載置片５、載置片５の屋内側端部より起立されて壁材２の背面に及ぶ水切り片４を備えて長尺の土台本体６を形成し、土台本体６の屋内側に縦荷重を支持する縦板７を土台本体６の長さ方向に間隔を隔てて設け、土台本体６の屋内側スペースを配線・配管体Ｌを配するダクトＤにし、ダクトＤに配した配線・配管体Ｌを縦板７に保持する保持手段８を備えていることを特徴とするものである。
【０００６】
このような構成によれば、土台本体６における設置片３、起立屋外片１２、載置片５及び載置片５から壁材２の背面に及ぶ水切り片４が一連に延出されて水切り構成部Ｍを形成していることから、従来のように、土台とは別に水切りＭａを必要とすることがなくて土台まわりの構成を簡素化し、施工性を高め、かつ、別に付設する板金製の水切りＭがなくて変形することによる外観の低下を回避し、すっきりとして外観を高めることができ、
併せて、土台本体６の屋内側に縦荷重を支持する縦板７を土台本体６の長さ方向に間隔を隔てて設けていることから、土台Ａにおける耐縦荷重を充分なものにでき、
更に、土台本体６の屋内側スペースを配線・配管体Ｌを配するダクトＤにしていることから、土台Ａの屋内側スペースを有効に利用できて建造物の屋内スペースを大にできる。
【０００７】
更に、請求項１においては、ダクトＤに配した配線・配管体Ｌを縦板７に保持する保持手段８を備えていることを特徴とするものである。このような構成によれば、土台Ａの縦荷重を増すための縦板７に配線・配管体Ｌを保持できて配線・配管体Ｌの保持強度を高めることができる。
【０００８】
請求項２においては、縦板７の屋内側に開放された係入凹所９を形成し、係入凹所９の近傍に保持用の紐状体１０を係着する係着部１１を形成していることを特徴とするものである。このような構成によれば、縦板７の係入凹所９に配線・配管体Ｌの一部を係入しながら紐状体１０によって配線・配管体Ｌを安定的に保持することができる。
【０００９】
請求項３においては、基礎１の上に設置する設置片３、設置片３の屋外側端部より起立する起立屋外片１２、起立屋外片１２より延出して壁材２を載置する載置部を形成している載置片５、載置片５の屋内側端部より起立されて壁材２の背面に及ぶ水切り片４を備えて長尺の土台本体６を形成し、土台本体６の屋内側に縦荷重を支持する縦板７を土台本体６の長さ方向に間隔を隔てて設け、土台本体６の屋内側スペースをダクトＤとして配した配線・配管体Ｌを縦板７に保持する保持手段８を備えて土台Ａを構成し、基礎１の上に設置片３を設置して土台Ａを基礎１に固定し、載置片５に壁材２を載置し、土台ＡのダクトＤに配した配線・配管体Ｌを縦板７に保持手段８にて保持していることを特徴とするものである。このような構成によれば、請求項１と同様の作用を得ることができる。
【００１０】
請求項４においては、配線・配管体Ｌと土台本体６の屋外側に面する部分との間に断熱材２０を設けていることを特徴とするものである。このような構成によれば、配線・配管体Ｌの屋外側を断熱材２０によって効果的に断熱を図ることができ、寒冷地の施工も容易に可能になる。
【００１１】
請求項５においては、ダクトＤに配した配線・配管体Ｌを覆うカバー２１を土台本体６の全長にわたる屋内側開口２２に着脱自在に取付けていることを特徴とするものである。このような構成によれば、ダクトＤに配した配線・配管体Ｌをカバー２１によって覆うことができ、屋内側の外観を高めることができ、かつ、カバー２１は着脱できるから、配線・配管体Ｌの敷設が容易である。
【００１２】
【発明の実施の形態】
以下、本発明の実施の形態を説明する。図１は断面図である。図３は土台の斜視図である。
【００１３】
コンクリート製の基礎１に土台Ａがアンカーボルト（図示せず）にて固定されて設置され、土台Ａに壁材２が載置されるとともに固定されて荷重を受けるようにしている。
【００１４】
土台Ａは、基礎１の上に設置する設置片３、設置片３の屋外側端部より起立する起立屋外片１２、起立屋外片１２より起立して壁材２を載置する載置部５ａを形成している載置片５、載置片５の屋内側端部より起立されて壁材２の背面に及ぶ水切り片４を備えて長尺の土台本体６を形成し、土台本体６の屋内側に縦荷重を支持する縦板７を土台本体６の長さ方向に間隔を隔てて設け、土台本体６の屋内側スペースを配線・配管体Ｌを配するダクトＤにしている。
【００１５】
載置片５には受け段部が形成されて壁材２を載置する載置部５ａとなっている。土台本体６は２．３ｍｍ厚の鉄板製であり、又、縦板７も同厚の鉄板製であり、設置片３と載置片５とにわたって縦板７が溶接されている。縦板７、７間のピッチは約１．５００ｍｍ程度である。このような縦板７の厚み及びピッチは適宜変更することができる。
【００１６】
縦板７の屋内側に開放された弧状の係入凹所９を形成し、係入凹所９の上下部に保持用のワイヤー、ロープ及び帯状体の紐状体１０を係着する係着部１１を形成している。係着部１１は、例えば、通孔１６であり、紐状体１０を通孔１６に挿通して基端部に形成した膨大部１０ａにおいて抜け止めを図るものである。このような紐状体１０の係着の形態は変更することができる。係入凹所９に配線・配管体Ｌの一部が係入され、上下の紐状体１０、１０にて配線・配管体Ｌが係着されて保持されるのである。このような構成を保持手段８と総称するが、その構成は変更することができる。
【００１７】
設置片３には固定孔１４が形成されてアンカーボルトが挿通される。基礎１と設置片３との間に防水テープ１５が介装されていて、起立屋外片１２を伝う雨水が設置片３と基礎１との間に浸入するのを防止している。
【００１８】
このように、土台本体６における設置片３、起立屋外片１２、載置片５及び載置片５から壁材２の背面に及ぶ水切り片４が一連に延出されて水切り構成部Ｍを形成していることから、従来のように、土台とは別体となった水切りを必要とすることがなくて土台まわりの構成を簡素化し、施工性を高め、かつ、別に付設する板金製の水切りがなくて変形することによる外観の低下を回避し、すっきりとして外観を高めることができる。
【００１９】
更に、土台本体６の屋内側に縦荷重を支持する縦板７を土台本体６の長さ方向に間隔を隔てて設けていることから、土台Ａにおける耐縦荷重を充分なものにできる。又、土台本体６の屋内側スペースを配線・配管体Ｌを配するダクトＤにしていることから、土台Ａの屋内側スペースを有効に利用できて建造物の屋内スペースを大にできる。又、土台Ａの縦荷重を増すための縦板７に配線・配管体Ｌを保持できて配線・配管体Ｌの保持強度を高めることができるのである。又、縦板７の係入凹所９に配線・配管体Ｌの一部を係入しながら紐状体１０、１０によって配線・配管体Ｌを安定的に保持することができる。
【００２０】
ところで、水切り片４の上端から屋内側に向けて水平片１７が延出されて水平片１７の下方部もダクトＤとなっている。水平片１７の長さ方向に間隔を隔てて吊り孔１８が形成され、吊り紐１９が挿通され、吊り紐１９の環状部分に配線・配管体Ｌを保持するようにしている。吊り紐１９に保持される配線・配管体Ｌは、例えば、給水管であり、縦板７の係入凹所９に係入されて保持手段８にて保持される配線・配管体Ｌは排水管であるが、変更できるものである。又、吊り紐９の形態も種々変更できる。
【００２１】
図４は他の実施の形態を示し、但し、本実施の形態の基本構成は上記実施の形態と共通であり、共通する部分には同一の符号を付して説明は省略する。
【００２２】
本実施の形態においては、ダクトＤに配した配線・配管体Ｌと土台本体６の屋外側に面する部分との間にウレタン樹脂のような断熱材２０を充填している。
【００２３】
本実施の形態においては、配線・配管体Ｌの屋外側を断熱材２０によって効果的に断熱を図ることができ、寒冷地の施工も容易に可能になる。
【００２４】
更に、ダクトＤに配した配線・配管体Ｌを覆うカバー２１を土台本体６の全長にわたる屋内側開口２２に着脱自在に取付けている。具体的には、土台本体６の水平片１７を設置片３と同程度の幅になるように屋内側に延出し、水平片１７及び設置片３の屋内縁に形成した取付片２３、２３に長尺もしくは分断したカバー２１をボルト２４…にて取付けている。
【００２５】
しかして、ダクトＤに配した配線・配管体Ｌをカバー２１によって覆うことができ、屋内側の外観を高めることができ、かつ、カバー２１は着脱できるから、配線・配管体Ｌの敷設が容易となる。
【００２６】
尚、本発明の構築物は、コンビニエンスストアや種々の施設及び倉庫、あるいは家屋等に実施できるものである。
【００２７】
【発明の効果】
請求項１においては、基礎に設置されて壁材に及ぶ縦荷重を支持する土台であって、基礎の上に設置する設置片、設置片の屋外側端部より起立する起立屋外片、起立屋外片より延出して壁材を載置する載置部を形成している載置片、載置片の屋内側端部より起立されて壁材の背面に及ぶ水切り片を備えて長尺の土台本体を形成し、土台本体の屋内側に縦荷重を支持する縦板を土台本体の長さ方向に間隔を隔てて設け、土台本体の屋内側スペースを配線・配管体を配するダクトにし、ダクトに配した配線・配管体を縦板に保持する保持手段を備えているから、
つまり、土台本体における設置片、起立屋外片、載置片及び載置片から壁材の背面に及ぶ水切り片が一連に延出されて水切り構成部を形成していることから、従来のように、土台とは別体となった水切りを必要とすることがなくて土台まわりの構成を簡素化し、施工性を高め、かつ、別体となった板金製の水切りがなくて変形することによる外観の低下を回避し、すっきりとして外観を高めることができ、
併せて、土台本体の屋内側に縦荷重を支持する縦板を土台本体の長さ方向に間隔を隔てて設けていることから、土台における耐縦荷重を充分なものにでき、
更に、土台本体の屋内側スペースを配線・配管体を配するダクトにしていることから、土台の屋内側スペースを有効に利用できて建造物の屋内スペースを大にできるという利点がある。
【００２８】
更に、請求項１においては、ダクトに配した配線・配管体を縦板に保持する保持手段を備えているから、土台の縦荷重を増すための縦板に配線・配管体を保持できて配線・配管体の保持強度を高めることができるという利点がある。
【００２９】
請求項２においては、請求項１の効果に加えて、縦板の屋内側に開放された係入凹所を形成し、係入凹所の近傍に保持用の紐状体を係着する係着部を形成しているから、縦板の係入凹所に配線・配管体の一部を係入しながら紐状体によって配線・配管体を安定的に保持することができるという利点がある。
【００３０】
請求項３においては、基礎の上に設置する設置片、設置片の屋外側端部より起立する起立屋外片、起立屋外片より延出して壁材を載置する載置部を形成している載置片、載置片の屋内側端部より起立されて壁材の背面に及ぶ水切り片を備えて長尺の土台本体を形成し、土台本体の屋内側に縦荷重を支持する縦板を土台本体の長さ方向に間隔を隔てて設け、土台の屋内側スペースをダクトとして配した配線・配管体を縦板に保持する保持手段を備えて土台を構成し、基礎の上に設置片を設置して土台を基礎に固定し、載置片に壁材を載置し、土台ののダクトに配した配線・配管体を縦板に保持手段にて保持しているから、請求項１と同様の効果を得ることができる。
【００３１】
請求項４においては、請求項３の効果に加えて、配線・配管体と土台本体の屋外側に面する部分との間に断熱材を設けているから、配線・配管体の屋外側を断熱材によって効果的に断熱を図ることができ、寒冷地の施工も容易に可能になるという利点がある。
【００３２】
請求項５においては、請求項３の効果に加えて、ダクトに配した配線・配管体を覆うカバーを土台本体の全長にわたる屋内側開口に着脱自在に取付けているから、ダクトに配した配線・配管体をカバーによって覆うことができ、屋内側の外観を高めることができ、かつ、カバーは着脱できるから、配線・配管体の敷設が容易であるという利点がある。
【図面の簡単な説明】
【図１】本発明の実施の一形態の断面図である。
【図２】同上の紐状体を示し、（ａ）は一方の紐状体の平面図、（ｂ）は側面図、（ｃ）は他方の紐状体の平面図、（ｄ）は側面図である。
【図３】同上の土台の斜視図である。
【図４】同上の他の実施の形態を示す断面図である。
【図５】従来例の断面図である。
【符号の説明】
１    基礎
２    壁材
３    設置片
４    水切り片
５    載置片
６    土台本体
７    縦板
８    保持手段
９    係入凹所
１０  紐状体
１１  係着部
１２  起立外部片
【図１】
0003756806.tif 000002
【図２】
0003756806.tif 000003
【図３】
0003756806.tif 000004
【図４】
0003756806.tif 000005
【図５】
0003756806.tif 000006